(57)【要約】【課題】ペースメーカーを付けた利用客に対し電磁波の影響を低減し、エレベーター用遠隔監視装置と監視センター間の通信手段に、ＰＨＳ等の無線通信機器を使用できるエレベーター用遠隔監視システムを提供する。【解決手段】エレベーター制御装置４から遠隔監視装置５へ、乗り場呼び登録信号（Ｃｓ）、かご内行き先階登録信号（Ｃｐ）、かご位置信号（Ｄｓ）、ドア開閉信号（Ｄｓ）、サービス階切り離し信号（Ｓｃ）が送信され、無線通信機器６の通信を制御するための回線接続信号（Ｔｓ）が遠隔監視装置５より送信される構成とし、無線通信機器６が設置されている階床にて乗り場呼び登録がなされた場合、及びかご内の行き先登録装置の呼び登録がなされ、前記無線通信機器６が設置されている階床に到着時、各信号を基に無線通信機器の通信を一時的に遮断させる機能を有する構成とした。【選択図】図２
2005162365.tif 000002
【特許請求の範囲】
【請求項１】
各階床の乗り場に設置された乗り場呼び登録装置により、エレベーターかごを運転させるエレベーター制御装置と、前記乗り場呼び登録装置内に設置された無線通信機器により、エレベーターの状態監視情報を監視センターへ送受信する遠隔監視装置で構成されるエレベーターにおいて、前記無線通信機器が設置されている階床にて乗り場呼び登録がなされた場合に、無線通信機器の通信を一時的に遮断させる機能を有することを特徴としたエレベーター用遠隔監視システム。
【請求項２】
各階床の乗り場に設置された乗り場呼び登録装置と、かご内に設置された行き先階登録装置と、これらの呼び登録に対しエレベーターかごを運転させるエレベーター制御装置と、前記乗り場呼び登録装置内に設置された無線通信機器により、エレベーターの状態監視情報を監視センターへ送受信する遠隔監視装置で構成されるエレベーターにおいて、かご内の行き先階登録装置の呼び登録がなされ、前記無線通信機器が設置されている階床に到着時、無線通信機器の通信を一時的に遮断させる機能を有することを特徴としたエレベーター用遠隔監視システム。
【請求項３】
請求項１，２，の構成において、かごが前記無線通信機器設置階より出発時に、無線通信機器の通信を一定時限後に再開させる機能を有することを特徴としたエレベーター用遠隔監視システム。
【請求項４】
上記構成に加え、特定階サービス階切り離し機能を有するエレベーターにおいて、前記無線通信機器設置階サービスが切り離されている場合には、通信遮断機能を無効とする機能を有することを特徴としたエレベーター用遠隔監視システム。
【発明の詳細な説明】
【技術分野】
【０００１】
本発明は、エレベーター用遠隔監視システムに係り、特に無線通信機器の制御方式に有効なエレベーター用遠隔監視システムに関する。
【背景技術】
【０００２】
エレベーターの遠隔監視を実施するにあたり、エレベーター用遠隔監視装置と監視センター間の通信手段は、一般的な有線方式と比べ設置作業が容易であるという理由から、ＰＨＳ等の無線通信機器を使用する方式の需要が増加している。
【０００３】
しかし、ＰＨＳ等の無線通信機器は設置場所の電波状況により通信を行えない場合があるため、機器本体、もしくはアンテナ部分を電波状況の良い場所へ設置する必要がある。また、機器の設置場所についても、エレベーターや建屋の意匠を損なうことなく、且つ盗難やいたずら等防犯上問題のない場所に設置可能であることが望まれる。
【０００４】
この種の装置としては、ＰＨＳのアンテナ部分のみを乗り場呼び登録装置内に設置することが知られている（特許文献１参照）。
【特許文献１】特開２００３−３４４７２公報（段落番号０００７〜００２０、第１図、第２図、第３図）。
【発明の開示】
【発明が解決しようとする課題】
【０００５】
しかしながら、前記従来技術においてはＰＨＳのアンテナを乗り場近傍に設置しているために、エレベーター用遠隔装置と監視センター間の通信時、ペースメーカーを付けた乗客が乗り場でエレベーターの到着待ちをしているときに、電磁波の影響を受ける可能性があるという問題があった。
【０００６】
また、ペースメーカーを付けた乗客が他階よりエレベーターで到着したときにも同様に、電磁波の影響を受ける可能性があるという問題点がある。
【０００７】
本発明は、このような従来技術の課題に鑑みなされたもので、ペースメーカーを付けた利用客に対し電磁波の影響を低減し、エレベーター用遠隔監視装置と監視センター間の通信手段に、ＰＨＳ等の無線通信機器を使用できる無線通信機器野の制御方式に有効なエレベーター用遠隔監視システムを提供することにある。
【課題を解決するための手段】
【０００８】
上記問題点を解決するために、請求項１の発明に係るエレベーター用遠隔監視システムは、各階床の乗り場に設置された乗り場呼び登録装置により、エレベーターかごを運転させるエレベーター制御装置と、前記乗り場呼び登録装置内に設置された無線通信機器により、エレベーターの状態監視情報を監視センターへ送受信する遠隔監視装置で構成されるエレベーターにおいて、前記無線通信機器が設置されている階床にて乗り場呼び登録がなされた場合に、無線通信機器の通信を一時的に遮断させる様にした。
【０００９】
請求項２の発明に係るエレベーター用遠隔監視システムは、各階床の乗り場に設置された乗り場呼び登録装置と、かご内に設置された行き先階登録装置と、これらの呼び登録に対しエレベーターかごを運転させるエレベーター制御装置と、前記乗り場呼び登録装置内に設置された無線通信機器により、エレベーターの状態監視情報を監視センターへ送受信する遠隔監視装置で構成されるエレベーターにおいて、かご内の行き先登録装置の呼び登録がなされ、前記無線通信機器が設置されている階床に到着時、無線通信機器の通信を一時的に遮断させる様にした。
【００１０】
請求項３の発明に係るエレベーター用遠隔監視システムは、かごが前記無線通信機器設置階より出発時に、無線通信機器の通信を再開させる様にした。
【００１１】
請求項４の発明に係るエレベーター用遠隔監視システムは、特定階サービス切り離し機能を有するエレベーターにおいて、前記無線通信機器設置階サービスが切り離されている場合には、通信遮断機能を無効とする様にした。
【発明の効果】
【００１２】
請求項１の発明によれば、無線通信機器が設置されている階床にて乗り場呼び登録がなされた場合に、無線通信機器の通信を一時的に遮断させる様にしたことで、ペースメーカーを付けた乗客が乗り場でエレベーターの到着待ちをしている間、電磁波の影響を軽減することができる。
【００１３】
請求項２の発明によれば、かご内の行き先階登録装置の呼び登録がなされ、前記無線通信機器が設置されている階床に到着時、無線通信機器の通信を一時的に遮断させる様にしたことで、ペースメーカーを付けた乗客が他階よりエレベーターで到着したときにも、電磁波の影響を軽減することができる。
【００１４】
請求項３の発明によれば、かごが前記無線通信機器設置階より出発時に、無線通信機器の通信を再開させる様にしたことで、無線通信機器周辺に利用客がいないときにはエレベーター用遠隔監視装置と監視センター間の通信を行うことができる。
【００１５】
請求項４の発明によれば、特定階サービス階切り離し機能を有するエレベーターにおいて、前記無線通信機器設置階サービスが切り離されている場合には、通信遮断機能を無効とする様にしたことで、エレベーター用遠隔監視装置と監視センター間の通信が不要に遮断されることなく、効率良く行うことができる。
【発明を実施するための最良の形態】
【００１６】
以下、本発明を実施するための最良の形態を図に基づいて説明する。図１及び図２は、本発明の一実施形態を示している。
【００１７】
ただし、図１は本発明の一実施形態を示すエレベーター用遠隔監視システムの構成図、図２は本発明の一実施形態を示すエレベーター用遠隔監視システムの信号系統図である。
【００１８】
まず、図１を参照して本実施形態に係るエレベーター用遠隔監視システムの基本的な構成を説明する。図１において、１はエレベーターの乗りかご、２はかご内に設けられた行き先階登録装置、３は乗り場に設けられた乗り場呼び登録装置、４はエレベーターかごを運転させるエレベーター制御装置、５はエレベーター制御装置４と接続されエレベーターの状態を監視する遠隔監視装置、６は遠隔監視装置と図示しない監視センター間の通信を行うための無線通信機器であり、本実施形態においては乗り場呼び登録装置３内に設置としたが、乗り場に設置された他の機器内に収める構成としても良い。
【００１９】
次に、図２を参照して本実施形態に係るエレベーター用遠隔監視システムの信号系統を説明する。図２において、エレベーター制御装置４から遠隔監視装置５へ、乗り場呼び登録信号（Ｈｓ）、かご内行き先階登録信号（Ｃｓ）、かご位置信号（Ｃｐ）、ドア開閉信号（Ｄｓ）、サービス階切り離し信号（Ｓｃ）が送信される構成としてある。また、無線通信機器６の通信を制御するための回線接続信号（Ｔｓ）が遠隔監視装置５より送信される構成としてある。
【００２０】
以下、図１及び図２を併用して、本発明における第一の実施形態を説明する。
【００２１】
いま、無線通信機器６の設置されている階床の乗り場にて、乗客が乗り場呼び登録装置３により呼び登録を行ったとすると、かご１はエレベーター制御装置４の指令により、当該階床へ向けて運転を開始する。同時に、エレベーター制御装置４よりＨｓが送信されることにより、乗客が乗り場で待機中であるとみなし、遠隔監視装置５はＴｓを遮断させ無線通信機器６の通信を遮断する。
【００２２】
このようにして、本発明における第一の実施形態のエレベーター用遠隔監視システムによれば、無線通信機器が設置されている階床にて乗り場呼び登録がなされた場合に、無線通信機器の通信を一時的に遮断させる様にしたことで、ペースメーカーを付けた乗客が乗り場でエレベーターの到着待ちをしている間、電磁波の影響を軽減することができる。
【００２３】
次に、本発明における第二の実施形態を説明する。
【００２４】
まず、無線通信機器６の設置されていない階床よりかご１に乗り込んだ乗客が、行き先階登録装置２により無線通信機器６の設置されている階床の呼び登録を行ったとすると、かご１はエレベーター制御装置４の指令により、当該階床へ向けて運転を開始する。同時に、エレベーター制御装置４よりＣｓが送信される。更に、エレベーター制御装置４より常時送信されているＣｐにより、かご１の位置が当該階床付近となったことが検出されると、乗客が乗り場に到着するとみなし、遠隔監視装置５はＴｓを遮断させ無線通信機器６の通信を遮断する。
【００２５】
このようにして、本発明における第二の実施形態のエレベーター用遠隔監視システムによれば、かご内の行き先階登録装置の呼び登録がなされ、前記無線通信機器が設置されている階床に到着時、無線通信機器の通信を一時的に遮断させる様にしたことで、ペースメーカーを付けた乗客が他階よりエレベーターで到着したときにも、電磁波の影響を軽減することができる。
【００２６】
次に、本発明における第三の実施形態を説明する。
【００２７】
ここでは、乗り場呼び登録装置３、または行き先階登録装置２によりかご１が無線通信機器６の設置されている階床に到着後、エレベーター制御装置４より送信されるＣｐ及びＤｓにより、ドア閉じ出発完了を検出することにより、乗客が乗り場に存在していないものとみなし、中断していた無線通信機器６の通信を再開する。
【００２８】
なお、ドア閉じ出発完了検出後、遠隔監視装置５内部の図示しないタイマー等により一定時限後に無線通信機器６の通信を再開する様にしても良い。
【００２９】
このようにして、本発明における第三の実施形態のエレベーター用遠隔監視システムによれば、かごが前記無線通信機器設置階より出発時に、無線通信機器の通信を再開させる様にしたことで、無線通信機器周辺に利用客がいないときはエレベーター用遠隔監視装置と監視センター間の通信を行うことができる。
【００３０】
次に、本発明における第四の実施形態を説明する。
【００３１】
ここでは、サービス階切り離し機能が付加されていて、且つ無線通信機器６の設置階床へのサービスが切り離されている場合、エレベーター制御装置４より送信されるＳｃにより、前記無線通信機器６の通信を遮断する機能を無効とする。
【００３２】
このようにして、本発明における第四の実施形態のエレベーター用遠隔監視システムによれば、特定階サービス階切り離し機能を有するエレベーターにおいて、前記無線通信機器設置階サービスが切り離されている場合には、通信遮断機能を無効とする様にしたことで、エレベーター用遠隔監視装置と監視センター間の通信が不要に遮断されることなく、効率良く行うことができる。
【図面の簡単な説明】
【００３３】
【図１】本発明の一実施形態を示すエレベーター用遠隔監視システムの構成図である。
【図２】本発明の一実施形態を示すエレベーター用遠隔監視システムの信号系統図である。
【符号の説明】
【００３４】
１    かご
２    行き先階登録装置
３    乗り場呼び登録装置
４    エレベーター制御装置
５    遠隔監視装置
６    無線通信機器
Ｈｓ  乗り場呼び登録信号
Ｃｓ  行き先階登録信号
Ｃｐ  かご位置信号
Ｄｓ  ドア開閉信号
Ｓｃ  サービス階切り離し信号
Ｔｓ  回線接続信号
【図１】
2005162365.tif 000003
【図２】
2005162365.tif 000004